(57)【要約】      （修正有）【課題】変換対象の入出力端子に連なるケーブルに着脱自在であり、紛失の防止や、別の装置への付け替えや使用したい時にすぐ使用できる便利な変換アダプターを提供する。【解決手段】入出力端子の変換アダプター１０であって、変換対象の入出力端子４０に連なるケーブル４１に取り付ける取着部２０を備える。取着部が、開口部を有する環状であると共に、少なくとも開口部の近傍の端部が弾性を有し、その開口部近傍の端部の弾性変形により、取着部を、変換対象の入出力端子に連なるケーブルに対して着脱自在である構成としてもよい。【選択図】図２
0003193983.tif 000002
【実用新案登録請求の範囲】
【請求項１】
入出力端子の変換アダプターであって、
変換対象の入出力端子に連なるケーブルに取り付ける取着部を備える
ことを特徴とする変換アダプター。
【請求項２】
取着部が、開口部を有する環状であると共に、少なくとも開口部の近傍の端部が弾性を有し、
その開口部近傍の端部の弾性変形により、取着部を、変換対象の入出力端子に連なるケーブルに対して着脱自在である
請求項１に記載の変換アダプター。
【請求項３】
変換アダプターの備わるアダプター部と、取着部とが別体であり、
アダプター部と取着部とが線状体を挿通する孔を備え、その線状体を介してアダプター部と取着部とが接続される
請求項１または２に記載の変換アダプター。
【請求項４】
変換アダプターの備わるアダプター部と、取着部とが一体であり、
アダプター部と取着部とが、柔軟性を有する接続片を介して接続される
請求項１または２に記載の変換アダプター。
【請求項５】
変換アダプターの入出力端子が、携帯通信端末の入出力端子であり、
線状体または接続片の長さが３〜５ｃｍである
請求項３または４に記載の変換アダプター。
【考案の詳細な説明】
【技術分野】
【０００１】
本考案は、携帯通信端末等の入出力端子の変換アダプターに関する。
【背景技術】
【０００２】
スマートフォンなどの携帯通信端末の普及に伴い、その入出力端子の変換アダプターの需要も高まっている。変換アダプターを単体として所持していると、紛失や、使用したい時にすぐ使用できない不便などがある。
【０００３】
そのような不便を解消する従来技術として、変換アダプターに紐を付けたり、それを用いて携帯通信端末のストラップにする方法などがあった。また、これに関連する従来技術として、特許文献１〜３などがあった。
【０００４】
しかし、変換アダプターを常時付設する固定方式は、不使用時に邪魔になったり破損するリスクが高まったり、別の装置に付け替えにくいなどの難点があった。
着脱容易であれば便利であるが、それを実現する従来技術はなかった。
【先行技術文献】
【特許文献】
【０００５】
【特許文献１】特開２０１２−２８２９１「コードリール付き変換アダプタ」
【特許文献２】実用新案登録第３１６１６３９号「携帯ストラップ用アクセサリ」
【特許文献３】実用新案登録第３１５１９００号「ストラップ」
【考案の概要】
【考案が解決しようとする課題】
【０００６】
そこで、本考案は、変換アダプターを着脱容易にして、紛失の防止や、別の装置への付け替えや使用したい時にすぐ使用できる便利さを提供することを課題とする。
【課題を解決するための手段】
【０００７】
上記課題を達成するため、本考案の変換アダプターは、入出力端子の変換アダプターであって、変換対象の入出力端子に連なるケーブルに取り付ける取着部を備えることを特徴とする。
【０００８】
ここで、取着部を、開口部を有する環状であると共に、少なくとも開口部の近傍の端部が弾性を有し、その開口部近傍の端部の弾性変形により、取着部を、変換対象の入出力端子に連なるケーブルに対して着脱自在である部材としてもよい。
【０００９】
また、変換アダプターの備わるアダプター部と、取着部とを別体として、アダプター部と取着部とが線状体を挿通する孔を備え、その線状体を介してアダプター部と取着部とが接続される構成にしてもよい。
【００１０】
同様に、変換アダプターの備わるアダプター部と、取着部とを一体として、アダプター部と取着部とが、柔軟性を有する接続片を介して接続される構成にしてもよい。
【００１１】
変換アダプターの入出力端子としては、携帯通信端末の入出力端子に好適に適用でき、線状体または接続片の長さは３〜５ｃｍが好ましい。
【考案の効果】
【００１２】
本考案によると、変換アダプターがケーブルに着脱容易に取り付けられるので、紛失の防止や、別の装置への付け替えや使用したい時にすぐ使用でき便利である。
【図面の簡単な説明】
【００１３】
【図１】本考案の実施例の変換アダプターの斜視図
【図２】本考案の実施例の変換アダプターを変換対象の入出力端子に連なるケーブルに取り付けた状態を示す正面図
【図３】別実施例の変換アダプターの正面図
【図４】取着部の別実施例の平面図
【考案を実施するための最良の形態】
【００１４】
以下に、本考案の実施形態を図面に基づいて説明する。ここでは好適な例を挙げて説明するが、本考案は、前記の特許文献など従来公知の技術を援用して適宜設計変更可能である。
【００１５】
図１は、本考案の実施例の変換アダプターの斜視図であり、図２は、その変換アダプターを、変換対象の入出力端子に連なるケーブルに取り付けた状態を示す正面図である。
【００１６】
本考案による変換アダプターは、変換アダプターの備わるアダプター部（１０）と、変換対象の入出力端子（４０）に連なるケーブル（４１）に取り付ける取着部（２０）とを備える。
変換アダプターの入出力端子としては、携帯通信端末等の入出力端子に適用でき、例えば、microUSBコネクタをlightningコネクタに変換する変換アダプターが挙げられるが、本考案の変換アダプターは任意の変換アダプターに適用可能である。
【００１７】
取着部（２０）は、開口部（２１）を有する環状であり、合成樹脂製が好ましい。
取着部（２０）のうち、少なくとも開口部（２１）の近傍の端部（２２）は、弾性を有し変形可能である。その開口部近傍端部（２２）の弾性変形により、開口部（２１）を広げると、取着部（２０）を、変換対象の入出力端子（４０）に連なるケーブル（４１）に嵌めることができる。同様に、開口部近傍端部（２２）の弾性変形により、開口部（２１）を広げて、逆に、ケーブル（４１）に嵌まっている取着部（２０）を、取り外すこともできる。
【００１８】
アダプター部（１０）と取着部（２０）とは、別体でも一体でもよい。
別体の場合は、アダプター部（１０）と取着部（２０）の両方にそれぞれ孔（１１）（２３）を設け、それらに線状体（３０）を挿通することで、アダプター部（１０）と取着部（２０）とを接続する。
線状体（３０）としては、図２に示したようなビーズの連結体や金属製のボールチェーンなどでもよいし、１本の線状でもよく、長さは３〜５ｃｍが好ましい。
【００１９】
図３は、アダプター部（１０）と取着部（２０）とが一体の変換アダプターの正面図である。
前記実施例との差異は、アダプター部（１０）と取着部（２０）との接続手段が、孔（１１）（２３）及び線状体（３０）の代わりに、接続片（３１）を用いている点である。
接続片（３１）は、柔軟性を有する帯状が好ましく、アダプター部（１０）と取着部（２０）とのそれぞれに固定されている。接続片（３１）とアダプター部（１０）と取着部（２０）とを合成樹脂製の一体成形としてもよい。
【００２０】
図４は、取着部の別実施例の平面図である。
図１の実施例の取着部（２０）との差異は、開口部（２１）において、内側端部（２４）と外側端部（２５）とが離隔していない点である。
本実施例の場合は、内側端部（２４）を内側に押して変形させることで、取着部（２０）を、変換対象の入出力端子（４０）に連なるケーブル（４１）に嵌めることができ、逆に、取着部（２０）をケーブル（４１）から外すには、内側端部（２４）と外側端部（２５）を内側に押して変形させる。図１の実施例の取着部（２０）に比べ、ケーブル（４１）から抜けにくい。
【００２１】
取着部（２０）は、上記例の他に、従来公知のクリップ類を使用することもできる。
【産業上の利用可能性】
【００２２】
本考案によると、変換アダプターの紛失防止や使い勝手向上に寄与するので、携帯通信端末等の普及にもつながり、産業上利用価値が高い。
【符号の説明】
【００２３】
１０  アダプター部
１１  孔
２０  取着部
２１  開口部
２２  開口部近傍端部
２３  孔
２４  内側端部
２５  外側端部
３０  線状体
３１  接続片
４０  変換対象の入出力端子
４１  変換対象の入出力端子のケーブル
【図１】
0003193983.tif 000003
【図２】
0003193983.tif 000004
【図３】
0003193983.tif 000005
【図４】
0003193983.tif 000006